(57)【要約】【課題】  時計駆動のための基本的な部品の支持ないし収容用の微細凹凸構造を有する中央部分が共通の構造を有し低コストで製造され得る地板及び該地板を備えた電子時計を提供すること【解決手段】  電子時計の樹脂製の地板１は、時計駆動のための基本的な部品を載置したり収容する微細凹凸構造Ｆ１７，Ｒ１７を備え中央成形型により形成されるように構成された樹脂製の中央地板部１０と、該中央地板部１０の外周縁１１に内周縁２１Ｌで連続的に接続され、時計の径に応じた異なる径方向長さで周辺成形型により形成されるように構成された樹脂製の周辺地板部２０Ｌとを有する。中央地板部１０が時計の径にかかわらず一定の形状や構造を有する。【選択図】  図１
2007225492.tif 000002
【特許請求の範囲】
【請求項１】
時計駆動のための基本的な部品を載置したり収容する微細凹凸構造を備え中央成形型により形成されるように構成された樹脂製の中央地板部と、
該中央地板部の外周縁に内周縁で連続的に接続され、時計の径に応じた異なる径方向長さで周辺成形型により形成されるように構成された樹脂製の周辺地板部と
を有する樹脂製の電子時計用地板。
【請求項２】
中央地板部が時計の径にかかわらず一定の形状や構造を有する請求項１に記載の電子時計用地板。
【請求項３】
中央地板部の外周縁と周辺地板部の内周縁との連続的接続部がカレンダ車の背後で且つ該カレンダ車の対向面から離間した位置である請求項１又は２に記載の電子時計用地板。
【請求項４】
中央地板部の外周縁と周辺地板部の内周縁との連続的接続部がカレンダ車の背面に沿って延びた円形部からなる請求項３に記載の電子時計用地板。
【請求項５】
前記連続的接続部が円形の逃げ部を備える請求項３又は４に記載の電子時計用地板。
【請求項６】
周辺地板部は、地板の径が大きいほど径方向長さの大きい肉盗み部を有する請求項１から５までのいずれか一つの項に電子時計用地板。
【請求項７】
肉盗み部が環状である請求項６に記載の電子時計用地板。
【請求項８】
中央地板部の成形領域の射出注入ゲートから成形用樹脂が注入されて成形されるように構成された請求項１から７までのいずれか一つの項に記載の電子時計用地板。
【請求項９】
中央地板部の成形領域の複数の射出注入ゲートから成形用樹脂が注入されて成形されるように構成された請求項１から７までのいずれか一つの項に記載の電子時計用地板。
【請求項１０】
請求項１から９までのいずれか一つの項に記載の地板を有する電子時計。
【請求項１１】
カレンダ車として日車を有する請求項１０に記載の電子時計。
【請求項１２】
カレンダ車として曜車を有する請求項１０又は１１に記載の電子時計。
【請求項１３】
周辺地板部の径が大きく地板の径が大きい場合、曜表示窓がワイド表示になっている請求項１２に記載の電子時計。
【請求項１４】
周辺地板部の径が大きく地板の径が大きい場合、曜表示窓が日表示窓よりも半径方向外側に位置する請求項１２又は１３に記載の電子時計。
【請求項１５】
日車よりも文字板に近接して位置する曜車が透明材料からなり、曜車の透明材料部分を介して日車の日表示が視認可能に構成された請求項１２から１４までのいずれか一つの項に記載の電子時計。
【請求項１６】
時計駆動のための基本的な部品を載置したり収容する微細凹凸構造を備えた樹脂製の中央地板部を成形するための中央成形型と、
該中央地板部の外周縁に内周縁で連続的に接続され、時計の径に応じた異なる径方向長さを備えた樹脂製の周辺地板部を成形する周辺成形型とを
有する電子時計の地板成形用金型。
【発明の詳細な説明】
【技術分野】
【０００１】
本発明は腕時計式の電子時計に係り、より詳しくは該電子時計用地板及び該地板の成形用金型に係る。
【背景技術】
【０００２】
輪列等の駆動部が共通でカレンダの大きさのみが異なる仕様の時計ムーブメントを製造する場合、地板及びカレンダ部品（日車や曜車）として、大きさの異なるものを夫々準備する必要がある。特に、地板を樹脂で製造する場合、歯車やモータ部品が組込まれるべく形状が複雑な地板中央部分は共通しているにもかかわらず、周辺部分（外周部分）が外径を含む形状等の点で多少異なるだけであるような二種類（又は複数種類）の地板を製造することになる。従って、従来は、これに応じて、複雑な形状の地板中央部分に対応する複雑な形状の中央部分は共通しているにもかかわらず周辺部分（外周部分）の径その他の形状が多少異なるだけの金型を二種類（又は複数種類）準備していた。
【０００３】
なお、電子時計は種々の改良がなされている反面、古くからの技術を含むことから、事実上の規格化ないし事実上の標準化も進んでいる。従って、新たな企画を盛り込んだ製品においては、事実上規格化された部分と改良された構造や形状や配置の部分とを含むことになる。このような重複部分を別途準備することを避けることを目的として、標準的なムーブメントをモジュールとしてその一部に組込んで多機能時計を形成することは、提案されている（特許文献１）。
【０００４】
しかしながら、共通部分を完全な別体で製造した場合、共通部分の組付けのための構造を要し且つ該構造のためにスペースを要する。
【０００５】
また、電子時計とは全く異なりサイズの大きな製品分野ではあるけれども、多品種少量生産等において、共通部分を作る金型部分と、個別部分を作る金型部分とを組み合せて、製品を作ること自体は、知られている（例えば、特許文献２）。
【０００６】
しかしながら、この種の従来の多品種少量生産では、単に、個々に異なる部分と共通部分とに応じて複数の金型を組合せているものであって、腕時計式の電子時計にはそのままでは適用され難い。
【特許文献１】特開平９−２１８９１号公報
【特許文献２】特開平８−２００４５号公報
【発明の開示】
【発明が解決しようとする課題】
【０００７】
本発明者は、時計駆動のための基本的な部品の支持や収容用の微細凹凸構造を有する地板中央部分が共通で外径が異なり、場合によっては該外径の差異に応じて地板外周部分に配置される部品の形状等が異なる複数種類の電子時計用の地板を製造するに際して、共通部分が中央部にあり且つ微細構造を備え、外周部分にカレンダ車が配置されるという特殊な構造を地板が有する点に着目して、この特殊な構造であるが故に、地板に要求される精度を満たしつつ、製品製造コストを抑え得ることに気づき、本発明に至った。
【０００８】
本発明は、前記した点に鑑みなされたものであって、時計駆動のための基本的な部品の支持ないし収容用の微細凹凸構造を有する中央部分が共通の構造を有し低コストで製造され得る地板及び該地板を備えた電子時計並びに該地板の成形用金型を提供することにある。
【課題を解決するための手段】
【０００９】
本発明の電子時計用地板は、前記目的を達成すべく、時計駆動のための基本的な部品を載置したり収容する微細凹凸構造を備え中央成形型により形成されるように構成された樹脂製の中央地板部と、該中央地板部の外周縁に内周縁で連続的に接続され、時計の径に応じた異なる径方向長さで周辺成形型により形成されるように構成された樹脂製の周辺地板部とを有する。
【００１０】
本発明の電子時計用地板では、電子時計の径の大小にかかわらず該電子時計に共通で且つ時計駆動のための基本的な部品を載置したり収容する微細凹凸構造を備えた樹脂製の中央地板部を共通の中央成形型で成形し、該中央地板部の外周縁に内周縁で連続的に接続され、時計の径に応じた異なる径方向長さで樹脂製の周辺地板部を径の大きさにより異なる周辺成形型で成形することにより、製造コストを最低限に抑え得る。特に、共通の中央成形型と径に依存して異なる周辺成形型とを組み合せて一つの成形用金型にすることにより、中央地板部と該中央地板部の外周縁に内周縁で連続的に接続された周辺地板部とを有する地板を成形し得る。
【００１１】
本発明の電子時計用地板では、典型的には、中央地板部が時計の径にかかわらず一定の形状や構造を有する。従って、共通構造の中央地板部の成形に共通の中央成形型を用いることにより、製造コストを最低限に抑え得る。また、時計駆動のための基本的な部品を載置したり収容する微細凹凸構造を形成するための中央成形型が共通化され得るので、金型製造コストを最低限に抑え得る。但し、所望ならば、中央地板部の成形のために、中央成形型及び周辺成形型以外の第三の成形型を用いたり、成形後中央地板部を更に加工することにより、時計の径に依存して中央地板部の微細形状ないし微細構造を更に変更するようにしてもよい。
【００１２】
本発明の電子時計用地板は、典型的には、中央地板部の外周縁と周辺地板部の内周縁との連続的接続部がカレンダ車の背後で且つ該カレンダ車の対向面（背面）から離間した位置である。
【００１３】
従って、多少の成形バリが生じてもカレンダ車の動作に影響を与えず時計の動作に不都合が生じる虞れがないので、バリを除く必要がないから製造コストを最低限に抑え得る。また、多少のバリが生じても、該バリがカレンダ車によって隠されるので、多少の分解がされた状態でも、該バリが見えないので、見栄えが低下する虞れもない。
【００１４】
本発明の電子時計用地板は、典型的には、中央地板部の外周縁と周辺地板部の内周縁との連続的接続部がカレンダ車の対向面（背面）に沿って延びた円形部からなる。この場合、中央成形型及び周辺成形型の形状も簡単化され得る。
【００１５】
本発明の電子時計用地板では、典型的には、前記連続的接続部が円形の逃げ部（カレンダ車の対向面から離れるように後退した部分、典型的には、凹部ないし溝部）を備える。この場合、バリが多少大きくなっても、カレンダ車の動作に影響を与えず時計の動作に不都合が生じる虞れがないので、バリを除く必要がないから製造コストを最低限に抑え得る。
【００１６】
本発明の電子時計用地板では、典型的には、周辺地板部は、地板の径が大きいほど径方向長さの大きい肉盗み部を有する。この場合、周辺地板部の径が変動しても周辺地板部の体積の変動が少なく（典型的には実際上同程度）、径の大小にかかわらず、成形用樹脂が周辺地板部に同様に確実に充填され得、径の異なる地板が高精度に成形（製造）され得る。
【００１７】
本発明の電子時計用地板では、典型的には、肉盗み部が環状である。この場合、成形用樹脂が全域に確実に充填され得る。ここで、「環状」とは、実質的に環状であることをいい、例えば、巻真装着部等において部分的に途切れていてもよい。
【００１８】
本発明の電子時計用地板では、典型的には、中央地板部の成形領域の射出注入ゲートから成形用樹脂が注入されて成形されるように構成される。この場合、時計駆動のための基本的な部品を載置したり収容する微細凹凸構造を有し形状の複雑な中央地板部を構成する各部に樹脂が最初に流動し充填されるので、該複雑な形状や構造部分に樹脂が確実に充填され易いから、特に高精度の成形が要求される時計駆動用の基本的部品を載置したり収容する微細凹凸構造の成形が所望どおりに行われ易い。特に、上述のように周辺地板部にその径に応じた肉盗み部を形成することにより、中央地板部の領域から注入された樹脂の周辺地板部の各部への流動や充填も確実に行われ得る。
【００１９】
本発明の電子時計用地板では、典型的には、中央地板部の成形領域の複数の射出注入ゲートから成形用樹脂が注入されて成形されるように構成される。この場合、形状の複雑な中央地板部を構成する各部への樹脂の充填がより確実に行われ得る。肉盗み部との組合せが有益であることは、前述のとおりである。
【００２０】
本発明の電子時計は、上述のような地板を有する。従って、本発明の電子時計は、径の小さい時計であっても径の大きい時計であっても製造コストが低減され得る。
【００２１】
本発明の電子時計は、典型的には、カレンダ車として日車を有する。
【００２２】
また、本発明の電子時計は、典型的には、カレンダ車として曜車を有する。但し、日車のみであってもよい。勿論、所望ならば、曜車だけであってもよい。更に、所望ならば、日車及び曜車以外のカレンダ表示車であってもよい。
【００２３】
また、本発明の電子時計では、典型的には、周辺地板部の径が大きく地板の径が大きい場合、曜表示窓がワイド表示になっている。但し、曜表示窓が、ワイド表示の代わりに、文字等が大きい時計であってもよい。更に、場合によっては、拡がった表示領域がデザインを含めた他の目的に利用されてもよい。
【００２４】
曜表示窓は、典型的には、日表示窓よりも半径方向内側に位置する。但し、本発明の電子時計では、所望ならば、周辺地板部の径が大きく地板の径が大きい場合、曜表示窓が日表示窓よりも半径方向外側に位置していてもよい。その場合、日車よりも文字板に近接して位置する曜車が透明材料からなり、曜車の透明材料部分を介して日車の日表示が視認可能に構成されていてもよい。
【００２５】
本発明の電子時計の地板成形用金型では、時計駆動のための基本的な部品を載置したり収容する微細凹凸構造を備えた樹脂製の中央地板部を成形するための中央成形型と、該中央地板部の外周縁に内周縁で連続的に接続され、時計の径に応じた異なる径方向長さを備えた樹脂製の周辺地板部を成形する周辺成形型とを有する。
【発明を実施するための最良の形態】
【００２６】
本発明の好ましい実施の形態のいくつかを添付図面に示した好ましい実施例に基づいて説明する。
【実施例】
【００２７】
図１及び図２には、本発明による好ましい一実施例の大径地板１Ｌが示され、図３及び図４には、本発明の好ましい一実施例の小径地板１Ｓが示されている。以下において、地板について、大径の場合符号Ｌを最後に付し、小径の場合符号Ｓを最後に付す。
【００２８】
大径地板１Ｌは、中央地板部１０Ｌと大径周辺地板部２０Ｌとからなる。中央地板部１０Ｌは、図１の（ａ）及び（ｂ）において想像線で示した外周縁１１Ｌで大径周辺地板部２０Ｌの内周縁２１Ｌと連続的につながっている。中央地板部１０Ｌの外周縁１１Ｌ及び大径周辺地板部２０Ｌの内周縁２１Ｌが一つになる部位すなわち接続部は、後述の金型の合せ面Ｊになっている。
【００２９】
同様に、小径地板１Ｓは、中央地板部１０Ｓと小径周辺地板部２０Ｓとからなる。中央地板部１０Ｓは、金型合せ面Ｊに一致するその外周縁１１Ｓで小径周辺地板部２０Ｓの内周縁２１Ｓと連続的につながっている。大径地板１Ｌの中央地板部１０Ｌは小径地板１Ｓの中央地板部１０Ｓと同一の形状及び大きさを有する。従って、以下では、中央地板部１０Ｌ，１０Ｓ及びその要素は、同一の符号（例えば、中央地板部そのものについては、符号１０）で表す。
【００３０】
地板１Ｌ，１Ｓのうち両者に共通の形状及び構造を備えた中央地板部１０は、電子時計の駆動に必要な各種部品を載せたり支える微細な凹凸形状や構造を有する。より詳しくは、中央地板部１０は、例えば、時計の表示指針駆動輪列を構成する車のほぞ部を支えるほぞ穴や輪列受やガイドピン等の各種の微細凹凸部１２や、駆動モータを構成する各種モータ部品を載せたり支える微細凹凸部１３や、水晶缶の如きパルス発生部を支える微細凹凸部１４や、電池や関連電極を支える微細凹凸部１５や巻真及び関連部品を支える微細凹凸部１６等を含む微細な凹凸形状及び構造１７を有する。この微細凹凸形状及び構造１７は、大径地板１Ｌ及び小径地板１Ｓの両方について、同一である。
【００３１】
より詳しくは、中央地板部１０は、大径地板１Ｌ及び小径地板１Ｓの両者に共通の形状や構造を備え、図１の（ｂ）及び図２の（ｂ）並びに図３の（ｂ）及び図４の（ｂ）に示したように、裏蓋側表面Ｒ１０に、表示指針駆動輪列等支持用の裏蓋板側微細凹凸部Ｒ１２、モータ部品支持用の裏蓋側微細凹凸部Ｒ１３、パルス発生部支持用の裏蓋板側微細凹凸部Ｒ１４、電池関連部品支持用の裏蓋側微細凹凸部Ｒ１５及び巻真等支持用の裏蓋側微細凹凸部Ｒ１６からなる裏蓋側微細凹凸形状及び構造部Ｒ１７を有する。
【００３２】
なお、中央地板部１０の裏蓋側表面Ｒ１０には、中央地板部１０の外周縁部１１に沿って円形ないし環状の切欠ないし溝部Ｒ１９（図１の（ｂ）、図３の（ｂ）参照）が形成されている。
【００３３】
また、共通形状及び構造の中央地板部１０は、図１の（ａ）及び図２の（ａ）並びに図３の（ａ）及び図４の（ａ）に示したように、文字板側表面Ｆ１０に、指針駆動輪列等支持用の文字板側微細凹凸部Ｆ１２、モータ部品支持用の文字板側微細凹凸部Ｆ１３、電池関連部品支持用の文字板側微細凹凸部Ｆ１５及び巻真等支持用の文字板側微細凹凸部Ｆ１６からなる文字板側微細凹凸形状及び構造部Ｆ１７を有する。
【００３４】
なお、文字板側微細凹凸形状及び構造部Ｆ１７は、更に、日回し車３６（図１１の（ａ）参照）支持用の微細凹凸部Ｆ１８Ａや日修正車の一部を遊嵌するための微細孔部Ｆ１８Ｂの如き日表示関連部品支持ないし収容用の微細凹凸部Ｆ１８を含む。また、図１の（ａ）や図３の（ａ）からわかるように、中央地板部１０の文字板側表面Ｆ１０には、中央地板部１０の外周縁部１１に沿って円形ないし環状の切欠ないし溝部Ｆ１９が形成されている。
【００３５】
ここで、中央地板部１０の微細凹凸形状及び構造部１７は、裏蓋側及び文字板側の微細凹凸形状及び構造部Ｒ１７及びＦ１７からなる。すなわち、指針駆動輪列等支持用の微細凹凸部１２は、指針駆動輪列等支持用の裏蓋側及び文字板側の微細凹凸部Ｒ１２及びＦ１２からなり、モータ部品支持用の微細凹凸部１３は、モータ部品支持用の裏蓋側及び文字板側の微細凹凸部Ｒ１３及びＦ１３からなる。また、パルス発生部支持用の微細凹凸部１４は、パルス発生部支持用の裏蓋側の微細凹凸部Ｒ１４からなり、電池関連部品支持用の微細凹凸部１５は、電池関連部品支持用の裏蓋側及び文字板側の微細凹凸部Ｒ１５及びＦ１５からなる。更に、巻真等支持用の微細凹凸部１６は、巻真等支持用の裏蓋側及び文字板側の微細凹凸部Ｒ１６及びＦ１６からなる。これらは、全て、大径及び小径地板１Ｌ及び１Ｓの中央地板部１０Ｌ及び１０Ｓにおいて相互に同一の形状や構造である。
【００３６】
なお、凹部ＦＧ１，ＦＧ２，ＦＧ３は、後述する金型の樹脂導入ゲートＧ１，Ｇ２，Ｇ３に対応する部位に残る凹部である。
【００３７】
一方、大径地板１Ｌの周辺地板部２０Ｌと小径地板１Ｓの周辺地板部２０Ｓとは、その形状が異なる。
【００３８】
大径地板１Ｌの周辺地板部２０Ｌは、内周縁２１Ｌの近傍の内側円形凹凸壁部２２Ｌ、外周縁の四隅に位置する外側凹凸壁部２３Ｌ及び両凹凸壁部２２Ｌ，２３Ｌ間のほぼ環状の凹凸部２４Ｌ等からなる大径周辺凹凸形状及び構造部２５Ｌを有する。周辺地板部２０Ｌは、外周面２６Ｌで大径地板１Ｌの外周形状を規定する。
【００３９】
同様に、小径地板１Ｓの周辺地板部２０Ｓは、内周縁２１Ｓの近傍の内側円形凹凸壁部２２Ｓ、外周縁の四隅に位置する外側凹凸壁部２３Ｓ及び両凹凸壁部２２Ｓ，２３Ｓ間のほぼ環状の凹凸部２４Ｓ等からなる小径周辺凹凸形状及び構造部２５Ｓを有する。小径地板１Ｓにおいても大径地板１Ｌの場合と同様に、周辺地板部２０Ｓは、外周面２６Ｓで大径地板１Ｓの外周形状を規定する。おおまかにいえば、大径地板１Ｌの周辺地板部２０Ｌの環状凹凸部２４Ｌは、小径地板１Ｓの周辺地板部２０Ｓの環状凹凸部２４Ｓよりも径方向の大きさないし幅が大きい。その結果、大径地板１Ｌの周辺地板部２０Ｌの外側凹凸壁部２３Ｌは、小径地板１Ｓの周辺地板部２０Ｓの外側凹凸壁部２３Ｓよりも径方向外側に位置し全体にその周方向長さ等が大きく、大径地板１Ｌの周辺地板部２０Ｌの外周面２６Ｌは小径地板１Ｓの周辺地板部２０Ｓの外周面２６Ｓよりも大径である。
【００４０】
ここで、大径周辺凹凸形状及び構造部２５Ｌは、裏蓋側及び文字板側の周辺凹凸形状及び構造部Ｒ２５Ｌ及びＦ２５Ｌを有する。より詳しくは、裏蓋側の周辺凹凸形状及び構造部Ｒ２５Ｌは、裏蓋側の大径内側円形凹凸部としての大径内側円形凹部Ｒ２２Ｌ、裏蓋側の大径外側凹凸部Ｒ２３Ｌ及び裏蓋側の大径環状凹凸部としての大径環状平板状部Ｒ２４Ｌを有し、文字板側の周辺凹凸形状及び構造部Ｆ２５Ｌは、文字板側の大径内側円形凹凸部としての大径内側円形凸部Ｆ２２Ｌ、文字板側の大径外側凹凸部Ｆ２３Ｌ及び文字板側の大径環状凹凸部としての大径環状凹部Ｆ２４Ｌを有する。
【００４１】
すなわち、大径内側円形凹凸部２２Ｌは、裏蓋側の大径内側円形凹部Ｒ２２Ｌ及び文字板側の大径内側円形凸部Ｆ２２Ｌからなり、大径外側凹凸部２３Ｌは、裏蓋側の大径外側凹凸部Ｒ２３Ｌ及び文字板側の大径外側凹凸部Ｆ２３Ｌからなる。また、大径環状凹凸部２４Ｌは、裏蓋側の大径環状平面状部Ｒ２４Ｌ及び文字板側の大径環状凹部Ｆ２４Ｌからなる。
【００４２】
なお、大径外側凹凸部２３Ｌは、文字板側に、文字板（図示せず）の高さ位置等を規定する文字板側凸部Ｆ２７Ｌを備えると共に文字板の足を受容する足穴を含む文字板側凹部Ｆ２８Ｌを備える。また、大径外側凹凸部２３Ｌは、裏蓋側に、時計ケース（図示せず）のムーブメント収容凹部内に突出する内向きフランジ状部に載置されたり支持される裏蓋側凹部Ｒ２８Ｌを外周２６Ｌに沿って備える。
【００４３】
周辺地板部２０Ｌの文字板側の大径内側円形凸部Ｆ２２Ｌの頂面は、中央地板部１０の文字板側の周辺溝部Ｆ１９の底面と実際上面一になっており、中央地板部１０の文字板側表面Ｆ１０の主面を与える基準表面Ｆ１０Ｋに対して窪んでいる（図２の（ａ）や後述の図１０）。また、文字板側の大径環状凹部Ｆ２４Ｌは、後で詳述するように、成形に際し、大径周辺地板部２０Ｌの径の大きさにもかかわらず該大径周辺地板部２０Ｌの全域に樹脂が確実に流動し充填されるのを可能にする肉盗み部になっている。
【００４４】
同様に、小径周辺凹凸形状及び構造部２５Ｓは、裏蓋側及び文字板側の周辺凹凸形状及び構造部Ｒ２５Ｓ及びＦ２５Ｓを有する。より詳しくは、裏蓋側の周辺凹凸形状及び構造部Ｒ２５Ｓは、裏蓋側の小径内側円形凹凸部としての小径内側円形凹部Ｒ２２Ｓ、裏蓋側の小径外側凹凸部Ｒ２３Ｓ及び裏蓋側の小径環状凹凸部としての小径環状平板状部Ｒ２４Ｓを有し、文字板側の小径周辺凹凸形状及び構造部Ｆ２５Ｓは、文字板側の小径内側円形凹凸部としての小径内側円形凸部Ｆ２２Ｓ、文字板側の小径外側凹凸部Ｆ２３Ｓ及び文字板側の大径環状凹凸部としての小径環状凹部Ｆ２４Ｓを有する。
【００４５】
すなわち、小径地板１Ｓにおいても大径地板１Ｌの場合と同様に、小径内側円形凹凸部２２Ｓは、裏蓋側の小径内側円形凹部Ｒ２２Ｓ及び文字板側の小径内側円形凸部Ｆ２２Ｓからなり、小径外側凹凸部２３Ｓは、裏蓋側の小径外側凹凸部Ｒ２３Ｓ及び文字板側の小径外側凹凸部Ｆ２３Ｓからなる。また、小径環状凹凸部２４Ｓは、裏蓋側の小径環状平板状部Ｒ２４Ｓ及び文字板側の小径環状凹部Ｆ２４Ｓからなる。また、小径外側凹凸部２３Ｓは、文字板側に、文字板（図示せず）の高さ位置等を規定する文字板側凸部Ｆ２７Ｓを備えると共に文字板の足を受容する足穴を含む文字板側凹部Ｆ２８Ｓを備える。更に、小径外側凹凸部２３Ｓは、裏蓋側に、時計ケース（図示せず）のムーブメント収容凹部内に突出する内向きフランジ状部に載置されたり支持される裏蓋側凹部Ｒ２８Ｓを外周２６Ｓに沿って備える。
【００４６】
従って、小径地板１Ｓにおいても、大径地板１Ｌの場合と同様に、周辺地板部２２Ｓの文字板側の小径内側円形凸部Ｆ２２Ｓの頂面は、中央地板部１０の文字板側の周辺溝部Ｆ１９の底面と実際上面一になっており、中央地板部１０の文字板側表面Ｆ１１の主面を与える基準表面Ｆ１０Ｋに対して窪んでいる（図４の（ａ）や後述の図１０）。また、文字板側の小径環状凹部Ｆ２４Ｓも、後で詳述するように成形に際し、小径周辺地板部２０Ｌの径の小ささに応じて該小径周辺地板部２０Ｓの全域に樹脂が確実に流動し充填されるのを可能にする肉盗み部になっている。換言すれば、大まかに言えば、大径地板１Ｌの大径周辺地板部２０Ｌ及び小径地板１Ｓの小径周辺地板部２０Ｓの体積がほぼ同程度になるように、大径環状凹部Ｆ２４Ｌ及び小径環状凹部Ｆ２４Ｓの大きさが選択され、地板１Ｌ，１Ｓの径の差異に起因する樹脂の流動及び充填特性の差異が最低限に抑えられている。
【００４７】
図５には、図１及び図２に示した大径地板１Ｌを製造するための成形金型６Ｌが示され、図６には、図３及び図４に示した小径地板６Ｓを製造するための成形金型６Ｓが示されている。図５の大径地板１Ｌ用の成形金型６Ｌは、図７に示した中央成形金型７０と、図８に示した大径地板１Ｌ用の周辺成形金型８０Ｌとを組合せてなる。一方、図６の小径地板１Ｓ用の成形金型６Ｓは、図７に示した中央成形金型７０と、図９に示した小径地板１Ｓ用の周辺成形金型８０Ｓとを組合せてなる。次に、各金型について、より詳しく説明する。
【００４８】
中央成形金型７０は、図７の（ａ）に示した中央成形上金型Ｕ７０と、図７の（ｂ）に示した中央成形下金型Ｄ７０とからなる。
【００４９】
また、大径地板１Ｌ用の周辺成形金型８０Ｌは、図８の（ａ）に示した大径周辺成形上金型Ｕ８０Ｌと、図８の（ｂ）に示した大径周辺成形下金型Ｄ８０Ｌとからなり、小径地板１Ｓ用の周辺成形金型８０Ｓは、図９の（ａ）に示した小径周辺成形上金型Ｕ８０Ｓと、図９の（ｂ）に示した小径周辺成形下金型Ｄ８０Ｓとからなる。
【００５０】
従って、大径地板１Ｌ用の成形金型６Ｌは、大径地板１Ｌ用の上金型Ｕ６Ｌ（図５の（ａ））と、大径地板１Ｌ用の下金型Ｄ６Ｌ（図５の（ｂ））とからなる。ここで、大径地板１Ｌ用の上金型Ｕ６Ｌは、図５の（ａ）からわかるように、中央成形上金型Ｕ７０と大径周辺成形上金型Ｕ８０Ｌとからなり、大径地板１Ｌ用の下金型Ｄ６Ｌは、図５の（ｂ）からわかるように、中央成形下金型Ｄ７０と大径周辺成形下金型Ｄ８０Ｌとからなる。
【００５１】
同様に、小径地板１Ｓ用の成形金型６Ｓは、小径地板１Ｓ用の上金型Ｕ６Ｓ（図６の（ａ））と、小径地板１Ｓ用の下金型Ｄ６Ｓ（図６の（ｂ））とからなる。ここで、小径地板１Ｓ用の上金型Ｕ６Ｓは、図６の（ａ）からわかるように、中央成形上金型Ｕ７０と小径周辺成形上金型Ｕ８０Ｓとからなり、小径地板１Ｌ用の下金型Ｄ６Ｓは、図６の（ｂ）からわかるように、中央成形下金型Ｄ７０と小径周辺成形下金型Ｄ８０Ｓとからなる。
【００５２】
中央成形上金型Ｕ７０は、図７の（ａ）からわかるように、一隅Ｕ７３が傾斜したほぼ四角形の外周面Ｕ７４を備えた凹部Ｕ７５を該金型基板Ｕ７１の表面Ｕ７２に有すると共に、該凹部Ｕ７５の中央部に円柱状突出部Ｕ７６を有する。円柱状突出部Ｕ７６の突出面には、中央地板部１０の文字板側表面Ｆ１０の微細凹凸形状及び構造部Ｆ１７に対応する相補的な微細凹凸形状及び構造部Ｕ７７が形成されている。中央成形上金型Ｕ７０は、また、地板１Ｌ，１Ｓの中央地板部２０の文字板側表面Ｆ１０に日表示関連部品収容部Ｆ１８を形成するための微細構造部（図示せず）や文字板側表面Ｆ１０の外周縁部に溝Ｆ１９を形成するための小さい環状凸部Ｕ７８を外周縁部に有する。中央成形上金型Ｕ７０は、更に、樹脂注入用のゲートＧを備える。
【００５３】
この例では、ゲートＧは、中央成形上金型Ｕ７０の周縁近傍の三箇所に周方向にほぼ等間隔に形成されたゲート部Ｇ１，Ｇ２，Ｇ３からなる。ここで、ゲート部Ｇは、時計の主要部分を支えるべく他の部分より高い精度が求められる部分の多い微細凹凸形状及び構造部Ｕ７７及びＤ７４等を含む中央地板部１０を正確に形成し易いように、且つ地板１Ｌ，１Ｓのサイズが異なっても比較的同様な成形条件下で共通する領域に同様な樹脂の流動や充填を先に行い易いように、周辺金型８０Ｌ，８０Ｓではなくて、中央金型７０に形成されている。また、ゲート部Ｇ１，Ｇ２，Ｇ３の配置は、中央成形上金型Ｕ７０及び中央成形下金型Ｄ７０に形成される微細凹凸形状及び構造部Ｕ７７及びＤ７４（図７の（ｂ））の形状及び配置に応じて各部に確実に且つ一様に樹脂が流動し充填され得る選択され得るように、且つ周辺地板部２０Ｌ，２０Ｓの全域に樹脂ができるだけ一様に流動し充填され得るように選択されている。なお、ゲートＧが共通の中央金型７０に配置されていていても、周辺部への樹脂の流動や充填が金型６Ｌ，６Ｓの径にかかわらずできるだけ同様に且つ一様に行われ得るように、周辺部への樹脂の流動及び充填量を同程度にすべく、周辺地板部２０Ｌ，２０Ｓの体積を同程度にするように、夫々に異なる大きさ乃至形状の肉盗み部（環状凹部）Ｕ２４Ｌ，Ｕ２４Ｓを形成する状態で、周辺金型８０Ｌ，８０Ｓが構成される。
【００５４】
中央成形下金型Ｄ７０は、図７の（ｂ）からわかるように、該金型基板Ｄ７１の表面Ｄ７２に、円柱状突出部Ｄ７３を有する。円柱状突出部Ｄ７３の突出面には、中央地板部１０の裏蓋板側表面Ｒ１０の微細凹凸形状及び構造部Ｒ１７に対応しこれと相補的な微細凹凸形状及び構造部Ｄ７４が形成されている。
【００５５】
大径周辺成形上金型Ｕ８０Ｌは、図８の（ａ）からわかるように、中央成形上金型Ｕ７０の凹部Ｕ７５の外周面Ｕ７４によって位置決めされるような外周面Ｕ８１Ｌを備えると共に、中央成形上金型Ｕ７０の円柱状突出部Ｕ７６に丁度嵌合される中央円筒状孔ないし円形孔Ｕ８２Ｌを備えた厚板Ｕ８３Ｌからなる。ここで、中央成形上金型Ｕ７０の円柱状突出部Ｕ７６の外周面と大径周辺上金型Ｕ８０Ｌの中央円筒状孔Ｕ８１Ｌの周面との嵌合ないし接合面が、金型Ｕ７０，Ｕ８０Ｌの型合せ面Ｊ（図１の（ａ）及び図５の（ａ）参照）である。大径周辺成形上金型Ｕ８０Ｌは、また、図８の（ａ）からわかるように、該厚板８３Ｌの表面８４Ｌのうち中央円形孔Ｕ８２Ｌの周囲に、大径地板１０Ｌの文字板側の周辺凹凸形状及び構造部Ｆ２５Ｌに対応しこれと相補的な微細凹凸形状及び構造部Ｕ８５Ｌを有する。この微細凹凸形状及び構造部Ｕ８５Ｌは、大径内側円形凸部Ｆ２２Ｌと相補的な大径内側円形凹部Ｕ８９Ｌを含む。この大径内側円形凹部Ｕ８９Ｌの底面は、金型Ｕ７０，Ｕ８０Ｌが組合わされて大径上金型Ｕ６Ｌが形成された状態では、中央成形上金型Ｕ７０の外周の環状凸部Ｕ７８の頂面と実際上面一の状態になる。
【００５６】
小径周辺成形上金型Ｕ８０Ｓは、図９の（ａ）からわかるように、大径周辺成形上金型Ｕ８０Ｌと同様に、中央成形上金型Ｕ７０の凹部Ｕ７５の外周面Ｕ７４によって位置決めされるような外周面Ｕ８１Ｓを備えると共に、中央成形上金型Ｕ７０の円柱状突出部Ｕ７６に丁度嵌合される中央円筒状孔ないし円形孔Ｕ８２Ｓを備えた厚板Ｕ８３Ｓからなる。この場合も、中央成形上金型Ｕ７０の円柱状突出部Ｕ７６の外周面と小径周辺上金型Ｕ８０Ｓの中央円筒状孔Ｕ８１Ｓの周面との嵌合ないし接合面が、金型Ｕ７０，Ｕ８０Ｓの型合せ面Ｊ（図３の（ａ）及び図６の（ａ）参照）である。なお、小径周辺成形上金型Ｕ８０Ｓは、図９の（ａ）からわかるように、該厚板８３Ｓの表面８４Ｓのうち中央円形孔Ｕ８２Ｓの周囲に、小径地板１０Ｓの文字板側の周辺凹凸形状及び構造部Ｆ２５Ｓに対応しこれと相補的な微細凹凸形状及び構造部Ｕ８５Ｓを有する。この微細凹凸形状及び構造部Ｕ８５Ｓも、小径内側円形凸部Ｆ２２Ｓと相補的な大径内側円形凹部Ｕ８９Ｓを含む。この小径内側円形凹部Ｕ８９Ｓの底面も、金型Ｕ７０，Ｕ８０Ｓが組合わされて小径上金型Ｕ６Ｓが形成された状態では、中央成形上金型Ｕ７０の外周の環状凸部Ｕ７８の頂面と実際上面一の状態になる。
【００５７】
ここで、大径周辺成形上金型Ｕ８０Ｌの外周面Ｕ８１Ｌ及び中央円筒状孔ないし円形孔Ｕ８２Ｌは、小径周辺成形上金型Ｕ８０Ｓの外周面Ｕ８１Ｓ及び中央円筒状孔ないし円形孔Ｕ８２Ｓと同一の形状や構造を有する。従って、これらを区別しないときや総称するときには、添字Ｌ，Ｓを略して、符号Ｕ８１，Ｕ８２で表す。
【００５８】
また、大径周辺成形下金型Ｄ８０Ｌは、図８の（ｂ）からわかるように、中央成形下金型Ｄ７０の円柱状突出部Ｄ７３が丁度嵌合される中央円筒状孔ないし円形孔Ｄ８１Ｌを有すると共に、表面Ｄ８２Ｌのうち中央円形孔Ｄ８１Ｌの周囲に大径地板１Ｌの外表面２６の形状に対応する外周面Ｄ８３Ｌを備えた凹部Ｄ８４Ｌを有する厚板Ｄ８５Ｌからなる。凹部Ｄ８４Ｌの底面Ｄ８６Ｌ及び外周面Ｄ８３Ｌの近傍部分Ｄ８７Ｌには、大径地板１Ｌの裏蓋側の周辺凹凸形状及び構造Ｒ２５Ｌに対応しこれと相補的な形状及び構造部Ｄ８８Ｌが形成されている。該相補的形状及び構造部Ｄ８８Ｌは、大径地板１Ｌの裏蓋側表面Ｒ２０Ｌの外周縁の凹部Ｒ２８Ｌと相補的な形状や構造の凸部Ｄ８８ＡＬを含む。
【００５９】
小径周辺成形下金型Ｄ８０Ｓは、図９の（ｂ）からわかるように、大径周辺成形下金型Ｄ８０Ｌと同様に、中央成形下金型Ｄ７０の円柱状突出部Ｄ７３が丁度嵌合される中央円筒状孔ないし円形孔Ｄ８１Ｓを有すると共に、表面Ｄ８２Ｓのうち中央円形孔Ｄ８１Ｓの周囲に小径地板１Ｓの外表面形状に対応する外周面Ｄ８３Ｓを備えた凹部Ｄ８４Ｓを有する厚板Ｄ８５Ｓからなる。凹部Ｄ８４Ｓの底面Ｄ８６Ｓ及び外周面Ｄ８３Ｓの近傍部分Ｄ８７Ｓには、小径地板１Ｓの裏蓋側の周辺凹凸形状及び構造Ｒ２５Ｓに対応しこれと相補的な形状及び構造部Ｄ８８Ｓが形成されている。該相補的形状及び構造部Ｄ８８Ｓは、小径地板１Ｓの裏蓋側表面Ｒ２０の外周縁の凹部Ｒ２８Ｓと相補的な形状及び構造の凸部Ｄ８８ＡＳを含む。
【００６０】
ここで、大径周辺成形下金型Ｄ８０Ｌの中央円筒状孔ないし円形孔Ｄ８１Ｌは、小径周辺成形下金型Ｄ８０Ｓの中央円筒状孔ないし円形孔Ｄ８１Ｓと同一の形状や構造を有する。従って、これらを区別しないときや総称するときには、添字Ｌ，Ｓを略して、符号Ｄ８１で表す。
【００６１】
以上のように構成された金型７０，８０Ｌ，８０Ｓを用いた地板の成形は、次のようにして行われる。
【００６２】
大径地板１Ｌを成形する場合、一方では、大径周辺上金型Ｕ８０Ｌを中央上金型Ｕ７０の凹部Ｕ７４に嵌込むと共に中央上金型Ｕ７０の中央円柱状突出部Ｕ７６を大径周辺上金型Ｕ８０Ｌの中央円筒状孔Ｕ８２に嵌合して大径地板１Ｌ用の上金型Ｕ６Ｌを形成する。他方では、大径周辺下金型Ｄ８０Ｌの中央円筒状孔Ｄ８１に中央下金型Ｄ７０の円柱状突出部Ｄ７３が嵌合されるように、大径周辺下金型Ｄ８０Ｌを中央下金型Ｄ７０上に載置して、大径地板１Ｌ用の下金型Ｄ６Ｌを形成する。
【００６３】
次に、大径地板１Ｌ用の上金型Ｕ６Ｌ及び下金型Ｄ６Ｌの表面Ｕ７２，Ｕ８４Ｌ及び表面Ｄ８２Ｌが密接するように金型６Ｌを閉じて大径地板１Ｌ用の成形室を形成し、樹脂成形に適した所定温度にした状態で、ゲートＧから射出成形用樹脂を成形室内に射出ないし注入して、大径地板１Ｌを成形する。
【００６４】
金型６Ｌでは、微細凹凸形状及び構造部のある中央金型７０の複数箇所にゲートＧが形成されているので、地板１Ｌのうち成形精度が特に要求される中央地板部１０の微細凹凸形状及び構造部Ｒ１７，Ｆ１７を形成すべき領域Ｄ７４，Ｕ７７に樹脂が確実に且つ一様に流動充填され易く、時計地板１Ｌが所望の精度で製造され易い。また、金型６Ｌでは、成形室が大径で広幅（径方向幅）の肉盗み部Ｆ２４Ｌを形成するような形状及び構造部Ｕ８５Ｌを備えるので、共通ゲートＧが共通中央金型７０に形成されているにもかかわらず、小径地板１Ｓの成形の場合における小径周辺地板部２０Ｓの成形の場合とほぼ同様な量でほぼ同様に成形用樹脂が周辺部に流動し充填されるので、地板１Ｌの径の大きさにかかわらず、大径の周辺地板部２０Ｌの全域に樹脂が流動し充填され得るから、周辺地板部２０Ｌの成形も高精度に行われ易い。
【００６５】
加えて、金型６Ｌでは、上金型Ｕ６Ｌが中央地板部１０の周辺溝部Ｆ１９の底面と大径周辺地板部２０Ｌの大径内側凸部２２Ｌの頂面との接合部に、中央金型Ｕ７０と大径周辺上金型Ｕ８０Ｌとの合せ面Ｊを備えるので、成形バリが生じるとしても、該成形バリは、大径地板１Ｌの文字板側主面となるべき面Ｆ１１よりも窪んだところに生じることになる。従って、該成形バリが面Ｆ１１を超えて文字板側に突出する虞れが少ない（図１０参照）。
【００６６】
なお、小径地板１Ｓを成形する場合、上金型Ｕ６Ｓが、大径周辺上金型Ｕ８０Ｌの代わりに小径周辺上金型Ｕ８０Ｓからなり、下金型Ｄ６Ｓが、小径周辺上金型Ｄ８０Ｌの代わりに小径周辺下金型Ｄ８０Ｓからなる点を除いて、大径地板１Ｌの場合と同様に成形される。即ち、小径地板１Ｓを成形するために、大径地板成形用金型６Ｌの一部、それも形状や構造の複雑な中央金型７０を共用し得、小径地板の成形のためには形状や構造が比較的複雑でない（簡単な）周辺成形金型のみを、大径周辺成形金型８０Ｌから小径周辺成形金型８０Ｓに交換して組立てるだけでよい。従って、金型の準備に要する初期コストが低減され得るだけでなく、成形条件を含む金型の調整に要する時間も最低限に抑え得、製造に要するランニングコストの低減も可能になる。
【００６７】
小径金型６Ｓの場合も、大径金型６Ｌの場合と同様に、微細凹凸形状及び構造部Ｄ７４，Ｕ７７のある中央金型７０の複数箇所にゲートＧが形成されているので、地板１Ｓの中央地板部１０の微細凹凸形状及び構造部Ｒ１７，Ｆ１７の全域に樹脂が一様に流動し充填され易い。また、金型６Ｓでは、成形室が小径で狭幅（径方向幅）の肉盗み部Ｆ２４Ｓを形成するように構成されているので、共通ゲートＧが共通中央金型７０に形成されているにもかかわらず且つ小径地板１Ｓの径が大径地板１Ｌよりも小さいにもかかわらず、小径の周辺地板部２０Ｌの全域に大径地板１Ｌの周辺地板部２０Ｓの場合と同程度の量で流動及び充填すればよいから、当該領域への樹脂の流動や充填が確実に行われ易い。なお、小径金型６Ｓにおいて成形バリの影響を最低限に抑えうることは、大径金型６Ｌの場合と同様である。
【００６８】
以上のように構成され成形された地板１Ｌや１Ｓを備えた電子時計では、型合せ面Ｊに沿って多少の成形バリが生じても該成形バリが時計の動作の妨げになる虞れが少ない。この点については、地板が大径地板１Ｌであるか小径地板１Ｓであるかを区別する必要がないので、全ての部材に関して、符号Ｌ，Ｓを省いて共通する説明とする。
【００６９】
電子時計３の一部を断面で示した図１０において、地板１の文字板側表面Ｆ１０の近傍には、日車３２が配置され、日車３２の上には、文字板３１が配置されている。なお、地板１の裏蓋側の凹部Ｒ１５には電池３３が収容されている。
【００７０】
通常運針時には、時針が取付けられた筒車と直接的に（又は中間車を介して間接的に）噛合した日回し車３６（後述の図１１の（ａ）や（ｂ））の回転に応じて該日回し車３６の日回し爪３５（後述の図１１の（ａ）や（ｂ））が日車３２の歯状突起部に係合して、日車３２を回す。なお、日付修正の際には、巻真を所定位置に引出し、日修正位置にある巻真の回転に伴う日修正車の回転により、前記歯状突起部で該日修正車と係合する日車３２を回す。
【００７１】
この電子時計３において、日車３２は、地板１の中央地板部１０の表面Ｆ１１から所望間隔Ｑ１だけ離間して位置する。従って、日車３２の地板側表面３４と、中央地板部１０の外周の溝部Ｆ１９の底面Ｆ１９Ａ及びこれと面一の位置にある周辺地板部２０の文字板側周辺凹凸部Ｆ２５の内側凸部Ｆ２２の頂面Ｆ２２Ａとの間には、間隔Ｑ１よりも溝部Ｆ１９の深さ分だけ大きい間隙Ｑ２が形成される。ここで、型合せ面Ｊは、溝部Ｆ１９の底面Ｆ１９Ａと凸部２２の頂面Ｆ２２Ａとの間に位置する。従って、この型合せ面Ｊのうち面１９Ａ，２２Ａの接合部から日車３２に向かう成形バリが生じても、該成形バリの長さがＱ２を超えない限り、成形バリが日車３２の回転動作に影響を与えることはない。従って、この地板１（即ち、大径地板１Ｌ又は小径地板１Ｓ）を備えた電子時計３では、地板１を中央成形型７０と周辺成形型８０との組合せにより成形しているにもかかわらず、該型の組合せにより多少の成形バリが生じても地板１の機能が低下する虞れがない。
【００７２】
なお、図１０において、凹部Ｆ２４に対応する空所領域は、肉盗み部である。図１０において、符号は、夫々、電池及び文字板である。
【００７３】
以上の如く構成された地板を備えた電子時計を、時計ケース、文字板及び表示指針等を取り除いた状態で、図１１の（ａ）及び（ｂ）に示した。ここで、図１１の（ａ）は、大径地板１Ｌ及び大径文字板３１Ｌを備えた大径の電子時計３Ｌを示し、図１１の（ｂ）は、小径地板１Ｓ及び小径文字板３１Ｓを備えた小径の電子時計３Ｓを示す。
【００７４】
小径の電子時計３Ｓと比較して、大径の電子時計３Ｌでは、日車３２Ｌの径が大きいことに応じて大きな日付表示が可能であること、換言すれば、小径の電子時計３Ｓでは、日車３２Ｓの径が小さいことに応じて小さな日付表示になることがわかる。図１１の（ａ）及び（ｂ）において、想像線で示した四角な領域３４Ｌ，３４Ｓは、大径電子時計３Ｌの大径文字板３１Ｌの日付表示窓及び小径電子時計３Ｓの小径文字板３１Ｓの日付表示窓である。日回し爪３５を備えた日回し車３６は、大径時計３Ｌ及び小径時計３Ｓに共通である。
【００７５】
以上においては、カレンダ車が日車からなりカレンダ表示として日付表示のみを行う電子時計について説明したけれども、日付及び曜日の両方を表示可能になっていてもよい。
【００７６】
図１２の（ａ）及び（ｂ）には、日車の支持部だけでなく曜車の支持部を備えた地板が示されている。
【００７７】
日表示及び曜表示が可能を可能にする大径地板１０１Ｌは、図１２の（ａ）からわかるように、中央地板部１１０に、日車用の輪列支持部Ｆ１８だけでなく、曜日表示関連部品支持用の微細凹凸部Ｆ９０を含む。該曜日表示関連部品支持用の微細凹凸部Ｆ９０は、曜回し爪（図示せず）を備えた曜回し車（図示せず）支持用の微細凹凸形状及び構造Ｆ９１に加えて、曜修正用の車の支持部Ｆ９２，Ｆ９３，Ｆ９４を含む。支持部Ｆ９３は揺動車の支持部である。
【００７８】
同様に、日表示及び曜表示が可能を可能にする小径地板も、図１２の（ｂ）からわかるように、中央地板部１１０に、日車用の輪列支持部Ｆ１８だけでなく、曜車用の輪列支持部Ｆ９０を含み、小径地板１０１Ｓ用の該中央地板部１１０の形状や構造は、大径地板１０１Ｌ用の形状や構造と同一である。
【００７９】
この中央地板部１１０を成形する中央金型は、曜車の載置が可能なように、微細凹凸形状や構造が、日車のみを載置する地板１Ｌ，１Ｓの中央地板部１０を成形する前述の中央金型とは異なる点を除き、該前述の中央金型と同様に構成される。
【００８０】
なお、日表示及び曜表示を可能にする大径地板１０１Ｌ用の大径周辺地板部１２０Ｌ及び小径地板１０１Ｓ用の小径周辺地板部１２０Ｓは、曜表示がなく日表示のみを可能にする大径地板１Ｌ用の大径周辺地板部２０Ｌ及び小径地板１Ｓ用の小径周辺地板部２０Ｓと実際上、同一の形状や構造である。勿論、相互に異なっていてもよい。例えば、いずれも、カレンダ車としての日車のみが設けられる地板１Ｌ，１Ｓの周辺地板部２０Ｌ，２０Ｓよりも大径であってもよい。
【００８１】
図１３には、日表示及び曜表示の両方が可能な大径電子時計３Ｌ（図１３の（ａ））及び小径電子時計３Ｓ（図１３の（ｂ））が示されている。文字板３１Ｌ，３１Ｓは、夫々、日付表示窓３４Ｌ，３４Ｓに加えて曜日表示窓３７Ｌ，３７Ｓを有する。３８Ｌ，３８Ｓ及び３９Ｌ，３９Ｓは、夫々、大径及び小径の時計ケース及び巻真である。図１３の（ａ）及び（ｂ）からもわかるとおり、時計の径が異なると、曜日表示窓３７Ｌ，３７Ｓ及び日付表示窓３９Ｌ，３９Ｓの大きさが異なることになる。
【００８２】
運針に伴う日車の回転及び日付表示の修正については、前述の場合と同様である。曜日の表示や修正についても、日付の表示や修正と同様である。すなわち、通常運針時には、時針が取付けられた筒車と直接的に（又は中間車を介して間接的に）噛合した曜回し車（図示せず）の回転に応じて該曜回し車の曜回し爪が曜車（図示せず）の歯状突起部に係合して、曜車を回す。曜日修正の際には、巻真を曜日（曜車回転位置）修正のための所定位置に引出し、曜日修正位置にある巻真の回転に伴い、例えば、曜修正中間車、曜修正揺動車及び曜修正車の回転により、前記歯状突起部で該曜修正車と係合する曜車を回す。
【００８３】
なお、特に大径の電子時計３ＡＬでは、表示領域を大きく取り得るから、例えば、図１４に示したように、曜日の表示を大きな窓３７ＡＬ（この例では円弧状の窓）で行ういわゆる「ワイド曜」表示を行うことも可能になる。ここで、日車及びその文字板側に配置される曜車は、例えば、図１５の（ａ）に示したような形態を取る。このようなワイド曜表示では、曜日が大きく且つ詳しく表示され得るので、視力が弱かったり視力が衰えてきたユーザであっても、容易に曜日の確認を行い得る。４０Ｌは曜車である。
【００８４】
なお、大径の電子時計３ＢＬの場合、所望ならば、図１５の（ｂ）に示したように、曜日表示を日付表示よりも外周側で行うようにしてもよい。その場合、曜日表示用の窓３７ＢＬを更に大きくしうるので、例えば、表示文字数を多くすること、例えば、曜日を表す英文字等を略すことなく表示することも可能になる。この場合、例えば、曜日表示領域を除いて透明な円板ないし環状板状体で曜車４０ＢＬを形成すると共に、曜車の背後に日車を配置してもよい。なお、図１５の（ｂ）において、円弧状の領域は、文字板に形成される曜日表示用の窓を示し、四角な領域は、文字板に形成される日付表示用の窓を示す。
【００８５】
以上において、特許請求の範囲の各請求項で明記されていない地板の詳細構造が、本発明の範囲内において、適宜変更され得ることは明らかであろう。
【図面の簡単な説明】
【００８６】
【図１】本発明による好ましい一実施例の大径地板を示したもので、（ａ）は文字板側表面の平面説明図、（ｂ）は底面説明図（裏蓋側表面の平面説明図）。
【図２】図１の大径地板を斜視図の形態で示したもので、（ａ）は文字板側から見た斜視説明図、（ｂ）は裏蓋側から見た斜視説明図。
【図３】本発明による好ましい一実施例の小径地板を示したもので、（ａ）は文字板側表面の平面説明図、（ｂ）は底面説明図（裏蓋側表面の平面説明図）。
【図４】図３の小径地板を斜視図の形態で示したもので、（ａ）は文字板側から見た斜視説明図、（ｂ）は裏蓋側から見た斜視説明図。
【図５】図１の大径地板を成形するための成形金型を示したもので、（ａ）は上金型の成形面を下から見た斜視説明図、（ｂ）は下金型の成形面を上から見た斜視説明図。
【図６】図３の小径地板を成形するための成形金型を示したもので、（ａ）は上金型の成形面を下から見た斜視説明図、（ｂ）は下金型の成形面を上から見た斜視説明図。
【図７】図５及び図６に示した金型を構成する中央金型を示したもので、（ａ）は上金型を構成する中央上金型の成形面を下から見た斜視説明図、（ｂ）は下金型を構成する中央下金型の成形面を上から見た斜視説明図。
【図８】図５に示した大径金型を構成する大径周辺金型を示したもので、（ａ）は上金型を構成する大径周辺上金型の成形面を下から見た斜視説明図、（ｂ）は下金型を構成する大径周辺下金型の成形面を上から見た斜視説明図。
【図９】図６に示した小径金型を構成する小径周辺金型を示したもので、（ａ）は上金型を構成する小径周辺上金型の成形面を下から見た斜視説明図、（ｂ）は下金型を構成する小径周辺下金型の成形面を上から見た斜視説明図。
【図１０】図５又は図６の金型で成形された図１又は図３の地板を備えた電子時計の一部の断面説明図。
【図１１】図５又は図６の金型で成形された図１又は図３の地板を備えた電子時計のうち時計ケース及び文字板を除いた部分を文字板側から示したもので、（ａ）は図１の大径地板を備えた電子時計の関連部分の平面説明図、（ｂ）は図３の小径地板を備えた電子時計の関連部分の平面説明図。
【図１２】曜日及び日付表示機能を備えた電子時計に用いられる本発明の変形例の地板を示したもので、（ａ）は大径地板を文字板側から見た平面説明図、（ｂ）は小径地板を文字板側から見た平面説明図。
【図１３】図１２の地板を用いた電子時計を時刻表示針を省いて示したもので、（ａ）は大径地板を用いた大径電子時計の平面説明図、（ｂ）は小径地板を用いた大径電子時計の平面説明図
【図１４】図１２（ａ）の大径地板を用いた電子時計の変形例であるワイド曜表示の電子時計を時刻表示針を省いて示した平面説明図。
【図１５】図１２（ａ）の大径地板を用いた電子時計の変形例であるワイド曜表示の電子時計のうち時計ケース及び文字板を除いた部分を文字板側から示したもので、（ａ）は図１４の電子時計の関連部分の平面説明図、（ｂ）は曜日表示を日付表示よりも外周側で行うようにした電子時計の関連部分の平面説明図。
【符号の説明】
【００８７】
１Ｌ  大径地板
１Ｓ  小径地板
３，３Ｌ，３Ｓ，３ＡＬ，３ＢＬ  電子時計
６Ｌ  大径地板用成形金型
６Ｓ  小径地板用成形金型
１０，１０Ｌ，１０Ｓ  中央地板部
１１，１１Ｌ，１１Ｓ  外周縁
１２，１３，１４，１５，１６  微細凹凸部
１７  微細凹凸形状及び構造
２０，２０Ｌ，２０Ｓ  周辺地板部
２１Ｌ，２１Ｓ  内周縁
２２Ｌ，２２Ｓ  内側円形凹凸部
２３Ｌ，２３Ｓ  外側円形凹凸部
２４Ｌ，２４Ｓ  環状凹凸部
２５Ｌ，２５Ｓ  周辺凹凸形状及び構造部
２６Ｌ，２６Ｓ  地板外周面
３１，３１Ｌ，３１Ｓ  文字板
３２，３２Ｌ，３２Ｓ  日車
３４Ｌ，３４Ｓ  日付表示窓
３７Ｌ，３７Ｓ  曜日表示窓
４０Ｌ，４０ＢＬ  曜車
７０  中央成形金型
８０Ｌ  大径地板用周辺成形金型
８０Ｓ  小径地板用周辺成形金型
Ｄ７０  中央成形下金型
Ｄ７４  微細凹凸形状及び構造部
Ｄ７３  円柱状突出部
Ｄ８０Ｌ，Ｄ８０Ｓ  周辺成形下金型
Ｄ８１，Ｄ８１Ｌ，Ｄ８１Ｓ  中央円形孔
Ｄ８４Ｌ，Ｄ８４Ｓ  凹部
Ｄ８８Ｌ，Ｄ８８Ｓ  相補的形状及び構造部
Ｆ１０  文字板側表面
Ｆ１０Ｋ  基準平面
Ｆ１２，Ｆ１３，Ｆ１５，Ｆ１６，Ｆ１８  文字板側微細凹凸部
Ｆ１７  文字板側微細凹凸形状及び構造部
Ｆ１８  日表示関連部品支持ないし収容用の微細凹凸部
Ｆ１９  環状溝部
Ｆ１９Ａ  溝部底面
Ｆ２２Ａ  凸部頂面
Ｆ２２Ｌ，Ｆ２２Ｓ  文字板側内側円形凸部
Ｆ２３Ｌ，Ｆ２３Ｓ  文字板側外側凹凸部
Ｆ２４Ｌ，Ｆ２４Ｓ  文字板側環状凹部
Ｆ２５Ｌ，Ｆ２５Ｓ  文字板側周辺凹凸形状及び構造部
Ｆ９０  曜日表示関連部品支持用の微細凹凸部
Ｇ，Ｇ１，Ｇ２，Ｇ３  ゲート
Ｊ  金型合せ面
Ｑ１，Ｑ２  間隔
Ｒ１０  裏蓋側表面
Ｒ１２，Ｒ１３，Ｒ１４，Ｒ１５，Ｒ１６  裏蓋側微細凹凸部
Ｒ１７  裏蓋側微細凹凸形状及び構造部
Ｒ２２Ｌ，Ｒ２２Ｓ  裏蓋側内側円形凹部
Ｒ２３Ｌ，Ｒ２３Ｓ  裏蓋側外側凹凸部
Ｒ２４Ｌ，Ｒ２４Ｓ  裏蓋側環状平板状部
Ｒ２５Ｌ，Ｒ２５Ｓ  裏蓋側周辺凹凸形状及び構造部
Ｕ７０  中央成形上金型
Ｕ７２  表面
Ｕ７５  凹部
Ｕ７６  円柱状突出部
Ｕ７７  微細凹凸形状及び構造部
Ｕ７８  環状凸部
Ｕ８０Ｌ，Ｕ８０Ｓ  周辺成形上金型
Ｕ８１，Ｕ８１Ｌ，Ｕ８１Ｓ  外周面
Ｕ８２，Ｕ８２Ｌ，Ｕ８２Ｓ  円筒状孔
Ｕ８５Ｌ，Ｕ８５Ｓ  凹凸形状及び構造部
【図１】
2007225492.tif 000003
【図３】
2007225492.tif 000004
【図１０】
2007225492.tif 000005
【図１１】
2007225492.tif 000006
【図１２】
2007225492.tif 000007
【図１３】
2007225492.tif 000008
【図１４】
2007225492.tif 000009
【図１５】
2007225492.tif 000010
【図２】
2007225492.tif 000011
【図４】
2007225492.tif 000012
【図５】
2007225492.tif 000013
【図６】
2007225492.tif 000014
【図７】
2007225492.tif 000015
【図８】
2007225492.tif 000016
【図９】
2007225492.tif 000017